(57)【要約】【課題】植生苗を嵌入するための植生ポットを簡単且つ容易に植栽地に打ち込めるようにすると共に、植生ポットへの植生苗の植え込みを簡単容易化した緑化工法を提供する。【解決手段】植栽地に敷設する防草・植生マット１０を、その下面からの雑草の発芽や育成を抑制するが、該マット上に伸びた匍匐茎１ａからの根は通す粗さをもった不織布によって形成する。上記マット１０上から植栽地に打ち込む植生ポット１１は、テーパー状植生凹窪１３が形成された容体１４の周面及び下面にそれぞれ複数の開口１５ａ，１５ｂがあり、該容体１４の下端に打込み用ピン状部１６を有し、容体の上端にフランジ部１２を有する。上記フランジ部で該防草・植生マットにおける植生ポット打込み部周辺を接地させる。上記植生凹窪１３の形状に適合させた苗ポットにおいて予め該形状を保持可能にした培土に育苗した植生苗を、上記植生凹窪１３に嵌入することにより植生する。【選択図】図１
2007174934.tif 000002
【特許請求の範囲】
【請求項１】
植栽地に敷設する防草・植生マットを、その下面からの雑草の発芽や育成を抑制するが、該マット上に伸びた匍匐茎からの根を通す粗さをもった不織布によって形成し、
上開きのテーパー状植生凹窪が形成された周面に開口のある容体の下端に打込み用ピン状部を有すると共に、上記容体の上端にフランジ部を有する植生ポットを、上記植栽地に敷設した防草・植生マット上から必要な植生間隔で該植栽地に打ち込むことにより、上記フランジ部で該防草・植生マットにおける植生ポット打込み部周辺を接地させ、
上記テーパー状植生凹窪の形状に適合させた苗ポットにおいて予め該形状を保持可能にした培土に育苗してなる植生苗を上記植生凹窪に嵌入することにより植生する、
ことを特徴とする緑化工法。
【請求項２】
上記植生ポットの打ち込みを、上記植生凹窪に嵌入されるガイド部を有し、該植生凹窪内面及び上記容体上端のフランジ部のうちの全部または一部に当接する打込み力伝達面を有する打ち込み具を用い、その頭部の押圧または叩打によって行う、
ことを特徴とする請求項１に記載の緑化工法。
【請求項３】
上記不織布が、ポリプロピレン繊維をスパンボンド法によって結合することにより形成され、目付が１００〜４００ｇ／ｍ3、嵩密度が０．０５〜０．２８／ｃｍ3の範囲である、
ことを特徴とする請求項１または２に記載の緑化工法。
【請求項４】
植生する植物が、匍匐茎を有する植物である、
ことを特徴とする請求項１〜３のいずれかに記載の緑化工法。
【発明の詳細な説明】
【技術分野】
【０００１】
本発明は、広大な面積の緑地、河川堤防や道路に沿う法面等に、効率的に芝類等の植生を行って緑化する工法に関するものである。
【背景技術】
【０００２】
従来から、広い面積の緑地、河川堤防や道路に沿う法面等に芝や蔦などの植物を植え、それを育成しようとする場合に、育成する植物以外の雑草類が先に繁茂して、育成すべき植物の生長を妨げるため、その雑草類の生育を抑制する防草シートを植栽地の地面上に敷設し、苗木を植え付けたコーン状の育苗ポットを所定の間隔をあけた配置でその防草シートの上から土中に打ち込んで固定するようにした緑化工法は、例えば特許文献１において提案されている。
【０００３】
また、上記コーン状の育苗ポットに対する培土及び苗木の充填を容易にするため、育苗ポットを垂直方向に二分した２個の半割部材の組み合わせによって構成し、その上端外周にフランジを設けて、地面に敷設した防草シートの上からそれを打ち込んだ際にポット外周に地面の露出部分が生じるのをなくすようにしたものも、特許文献２において提案されている。
【０００４】
しかしながら、上記公知の緑化工法において用いられる育苗ポットは、それを土中に打ち込むのが容易であるとは言えず、即ち、一般的にはその育苗ポットに苗木を植え込んでから該ポットを土中に打ち込むようにしているが、苗木が邪魔になって育苗ポットを簡単且つ容易に防草シートを通して打ち込むことが困難であり、逆にその育苗ポットの打ち込みを苗木の植え込み前に行うと、今度は苗木の植え込み自体が困難になって、それに多大の手数を要することになる。特許文献２において提案されている育苗ポットは、それに対する苗木の植え込みの困難性を解消するためのものであり、いかにそのポットに対する苗木の植え込みが困難であるかを示している。そして、特に、広大な面積の植栽地の緑化を行う場合には、上記育苗ポットに対する植え込みをできるだけ簡単化することが、緑化のための労力及び費用を低減することが必要になる。
【０００５】
また、上記公知の緑化工法において用いられる防草シートは、育成する植物の周囲での雑草の発芽や育成を抑制するが、該シートを利用して植生するのに適した地上を這う匍匐茎(ランナー、ストロン等）を有する植物の育成に適するとは限らず、即ち、それらの匍匐茎からの根を土中にまで通しやすいとは限らない、という問題がある。
【０００６】
【特許文献１】特開平１１−２２９３８５号公報
【特許文献２】特開２００４−２５４６０４号公報
【発明の開示】
【発明が解決しようとする課題】
【０００７】
本発明の技術的課題は、植生苗を嵌入するための植生ポットを簡単且つ容易に植栽地に打ち込めるようにした緑化工法を提供することにあり、更に具体的には、打ち込み後にその周囲の防草・植生マットを地面に押し付ける植生ポットのフランジ部を利用して、該ポットへの植生苗の植え込み前に該ポットを植栽地に容易に打ち込めるようにした緑化工法を提供することにある。
【０００８】
本発明の他の技術的課題は、上記植生ポットに対する植生苗の植え込みを簡単容易化した緑化工法を提供することにある。
本発明の更に他の技術的課題は、育成する植物の周囲での雑草の発芽や育成を抑制するが、地上を這う匍匐茎(ランナー、ストロン等）を有する植物の育成に適し、それらの匍匐茎からの根を土中にまで通しやすい防草・植生シートを用いた緑化工法を提供することにある。
【課題を解決するための手段】
【０００９】
上記課題を解決するための本発明の緑化工法は、植栽地に敷設する防草・植生マットを、その下面からの雑草の発芽や育成を抑制するが、該マット上に伸びた匍匐茎からの根を通す粗さをもった不織布によって形成し、上開きのテーパー状植生凹窪が形成された周面に開口のある容体の下端に打込み用ピン状部を有すると共に、上記容体の上端にフランジ部を有する植生ポットを、上記植栽地に敷設した防草・植生マット上から必要な植生間隔で該植栽地に打ち込むことにより、上記フランジ部で該防草・植生マットにおける植生ポット打込み部周辺を接地させ、上記テーパー状植生凹窪の形状に適合させた苗ポットにおいて予め該形状を保持可能にした培土に育苗してなる植生苗を上記植生凹窪に嵌入することにより植生することを特徴とするものである。
【００１０】
本発明の好ましい実施形態においては、上記植生ポットの打ち込みが、上記植生凹窪に嵌入されるガイド部を有し、該植生凹窪内面及び上記容体上端のフランジ部のうちの全部または一部に当接する打込み力伝達面を有する打ち込み具を用い、その頭部の押圧または叩打によって行われる。
また、本発明の他の好ましい実施形態においては、上記不織布として、ポリプロピレン繊維をスパンボンド法によって結合することにより形成され、目付が１００〜４００ｇ／ｍ3、嵩密度が０．０５〜０．２８／ｃｍ3の範囲内のものを用いるのが適している。
本発明における緑化工法において植生する植物としては、芝類や蔦類を主体とし、匍匐茎を有する植物が用いられる。
【００１１】
上記構成を有する本発明の緑化工法においては、まず、植栽地に防草・植生マットを敷設するが、該マットは、その下からの雑草類の発芽、生育を抑制しながらも、地表面を這う匍匐茎を有する植物等の根が該マットを通して植栽地の地中にまで伸びるのを許容するので、それらの植物の植生にきわめて有効なものである。
また、上記植栽地に適宜間隔で打ち込まれる上記植生ポットは、その容体の植生凹窪に打ち込み具のガイド部を嵌入し、打ち込み具の頭部を押圧または叩打することにより打込み力伝達面を介して植栽地に打ち込むようにしているので、その作業を簡単且つ容易に行うことができる。
【００１２】
植栽地に打ち込んだ上記植生ポットに対する植生苗の植え付けは、その容体の上開きのテーパー状をなす植生凹窪に、その凹窪の形状に適合させた苗ポットにおいて予め該形状を保持可能にした培土に育苗してなる植生苗を嵌入することにより行うので、格別の手数を要することなく、きわめて能率的に行うことができる。
【発明の効果】
【００１３】
以上に詳述した本発明の緑化工法によれば、植生苗を嵌入するための植生ポットを簡単且つ容易に植栽地に打ち込むことができ、更に具体的には、打ち込み後にその周囲の防草・植生マットを地面に押し付ける植生ポットのフランジ部や植生凹窪内面を利用して、該ポットへの植生苗の植え込み前に、該ポットを植栽地に容易に打ち込むことができ、上記植生ポットに対する植生苗の植え込みを簡単且つ容易に行うことができる。
【発明を実施するための最良の形態】
【００１４】
以下に、本発明に係る緑化工法の実施例について、図面を参照して詳細に説明する。
図１は、本発明に係る緑化工法によって植栽地に植物が植生された状態を示し、図２及び図３はその植生に用いる植生ポットの構成を示している。
本発明に係る緑化工法においては、図１に示すように、まず、植栽地に防草・植生マット１０を敷設する。この防草・植生マット１０は、その下面における雑草類の発芽や育成を抑制するが、以下に説明するところによって植栽地に植え付けた植物１から該マット１０上に伸びた匍匐茎１ａがその一部から降ろす根１ｂは下面まで通すような粗さの不織布によって形成したものである。そのため、植え付けた植物１の匍匐茎１ａからの根は防草・植生マット１０を通して活着し、該植物１は繁茂するが、該マット１０の下にあり、あるいは外部から飛来した雑草類の種子が発芽、育成するのは抑制され、育成すべき植物１以外の雑草類が先に繁茂して該植物１の生長を妨げることはない。
【００１５】
上記防草・植生マット１０を形成する不織布としては、ポリプロピレン繊維をスパンボンド法によって結合することにより形成され、目付が１００〜４００ｇ／ｍ3、より望ましくは１００〜３００ｇ／ｍ3、嵩密度が０．０５〜０．２８／ｃｍ3の範囲内のものが、防草効果においてすぐれると同時に匍匐茎からの根６を通す点で適している。上記範囲を超えると、防草効果はすぐれるが匍匐茎からの根１ｂが通りにくくなり、一方、上記範囲以下では十分な防草効果が得られなくなる。
上記スパンボンド法によるポリプロピレン繊維の不織布は、ニードルパンチ法で引張強度を得ることが望ましいが、ある程度の嵩密度が得られれば、ヒートセット法その他の方法によってもよい。
【００１６】
なお、上記防草・植生マット１０を形成する不織布としては、上記と同等の機能を有する他の素材のもので形成することができる。この不織布は、上記植物１が植栽地全面に繁茂する時点以降に分解するような生分解性を有していることが望まれる。
また、上記防草・植生マット１０には、植物の植付け間隙、例えば３０ｃｍごとに植え付け位置を示すマーキングを付しておくのが望ましい。
【００１７】
次に、上記植栽地に敷設した防草・植生マット１０上から、上端にフランジ部１２を有する植生ポット１１を、必要な植生間隔で該植栽地に打ち込み、該フランジ部１２で該防草・植生マット１０における植生ポット打込み部周辺を地面に押圧し、接地させる。
この植生ポット１１は、図２乃至図４に示すように、上開きのテーパー状植生凹窪１３が形成された容体１４の周面及び下面にそれぞれ複数の開口１５ａ，１５ｂがあり、該容体１４の下端に打込み用ピン状部１６を有すると共に、上記容体１４の上端に前記フランジ部１２を有するもので、合成樹脂により一体成形されている。上記開口１５ｂは、ピン状部１６に設けた溝１７の上端に形成されたものであり、下方への根の伸長に有効なものである。この植生ポット１１も生分解性を有する合成樹脂製とするのが望まれる。
【００１８】
上記植生ポット１１の打ち込みには、図５に示すような打ち込み具２０が用いられる。この打ち込み具２０は、その本体部２１に小径の握り部２１ａを設け、先端に植生ポット１１における上記植生凹窪１３に嵌入されるガイド部２２を有し、該植生凹窪１３の内面及び上記容体１４の上端のフランジ部１２に当接する打込み力伝達面を有するもので、上記本体部２１の頭部２４の押圧またはハンマーによる叩打によって、上記打ち込みが行われるものである。上記打ち込み具２０の打ち込み力伝達面は、上記植生凹窪１３の内面及び上記容体１４の上端のフランジ部１２の表面のうちの一部とすることもできる。
【００１９】
上記防草・植生マット１０上からのこの植生ポット１１の打ち込みにより、上記フランジ部１２でマット１０における植生ポット打込み部周辺を地面に押圧、接地させるが、これにより上記マット１０の地面からの浮き上がりが抑制され、雑草類の発芽、生育が一層抑制され、しかも、地表面を這う匍匐茎１ａの根１ｂが該マット１０を通して植栽地の地中にまで伸びるのを助長することができる。
また、上記フランジ部１２は、マット１０を地面に押圧、接地させるのに有効に機能するばかりでなく、植生凹窪１３の内面と共に、上記打ち込み具２０による打ち込み時に、その打込み力伝達面が当接して植生ポット１１を地面に垂直に打ち込むためにも有効に機能するものである。
【００２０】
一方、この緑化工法において植生する植物１は、図６に示すように、上記植生ポット１１における上開きのテーパー状植生凹窪１３の形状に適合させた苗ポット３１において育苗される。この苗ポット３１は、その多数を連結した連接ポット３０として、塩化ビニール等の合成樹脂シートによって形成され、その多数の苗ポット３１に、予め植生すべき植物１を培土３２によって育苗するが、この培土３２は、そこで育てた植生苗２を植生ポット１１へ植え付ける時に、苗ポット３１の形状、つまり、植生ポット１１における上開きのテーパー状植生凹窪１３の形状を保持可能にした培土であることが必要がある。ただし、これは培土３２の形状が崩れない程度であればよく、特にその形状に固化することを意味するものではない。
【００２１】
上記苗ポット３１で育苗した植生苗２は、該苗ポット３１が植生ポット１１の上開きのテーパー状植生凹窪１３の形状に適合させたものであるから、そのテーパーにより苗ポット３１から容易に抜き出すことができ、また、苗ポット３１から抜き出したときに植生苗２の培土３２がその形状を保持するので、その培土３２を植生ポット１１の植生凹窪１３に投入するだけで容易に嵌入することができ、その簡単な操作だけで植生作業を完了することができる。
【００２２】
植生後は、植物１の根が上記容体１４の開口１５から外部に伸び、また、匍匐茎１ａが植生ポット１１の周囲に伸びてそこから出た根１ｂが防草・植生マット１０を通して活着し、植生した植物１が繁茂する。一方、雑草類は上記防草・植生マット１０によりその発芽、成育が抑制されるので、植物１の成長を妨げることはない。
【図面の簡単な説明】
【００２３】
【図１】本発明に基づいて所期の植物が植生された状態を一部を破断して示す斜視図である。
【図２】本発明の緑化工法に用いる植生ポットの斜視図である。
【図３】同断面図である。
【図４】同平面図である
【図５】本発明の緑化工法において用いる打ち込み具の斜視図である。
【図６】本発明の緑化工法において用いる苗ポットの連設体における育苗状態を示すの断面図である。
【符号の説明】
【００２４】
１    植物
１ａ  匍匐茎
１ｂ  根
２    植生苗
１０    防草・植生マット
１１    植生ポット
１２    フランジ部
１３    植生凹窪
１４    容体
１５ａ，１５ｂ    開口
１６    打込み用ピン状部
２０    打ち込み具
２２    ガイド部
２４    頭部
３１    苗ポット
３２    培土
【図１】
2007174934.tif 000003
【図２】
2007174934.tif 000004
【図３】
2007174934.tif 000005
【図４】
2007174934.tif 000006
【図５】
2007174934.tif 000007
【図６】
2007174934.tif 000008